(57)【特許請求の範囲】
【請求項１】
山部と谷部を繰り返す波形状又はニック付きの複数の外周刃（１）と、前記外周刃（１）につながるコーナＲ刃（17）とを有する超硬合金製エンドミルにおいて、
前記波形又はニックが等間隔に並んだある外周刃（１）の位相に対して、その他の少なくとも一刃の外周刃（１）の位相が前記波形又はニックのピッチの０％を含まない５％以下の幅で工具軸方向にずれており、
前記コーナＲ刃（17）の逃げ面（18）に、工具軸側の第１逃げ面（21）と外周側の第２逃げ面（22）とからなるニック（25）が設けられており、
前記第１逃げ面（21）と前記コーナＲ刃（17）の逃げ面（18）との第１交線（32）、及び前記第２逃げ面（22）と前記コーナＲ刃（17）の逃げ面（18）との第２交線（31）は、前記コーナＲ刃（17）とそれぞれ第１交点（30）及び第２交点（29）で交差しており、
前記第１交線（32）は、前記コーナＲ刃（17）から後方に行くに従って前記第１交点（30）と工具軸（Ｏ）との半径方向距離を半径とする円弧（34）より工具軸側（23）に広がっており、
前記第２交線（31）は、前記コーナＲ刃（17）から後方に行くに従って前記第２交点（29）と工具軸（Ｏ）との半径方向距離を半径とする円弧（33）より外周側（24）に広がっていることを特徴とする超硬合金製エンドミル。
【発明の詳細な説明】
【技術分野】
【０００１】
本発明は、荒切削から中仕上げ切削に用いる超硬合金製エンドミルに関し、特に３次元形状削りや溝削りに適した高速切削用の超硬合金製エンドミルに関する。
【背景技術】
【０００２】  エンドミルは端面と外周にそれぞれ底刃と外周刃という切れ刃を有し、前記切れ刃の単独又は複合した使用によって、広範囲の加工ができるために、多用されている切削工具である。最近はエンドミルによる荒切削や中仕上げ切削において、加工能率を上げるために、切り込み量を大きくして高速切削で加工を行いたいという産業界の要望が強く、高速切削に適したエンドミルが提案されている。【０００３】  従来のエンドミルは加工方向によって、縦送り切削、横送り切削および傾斜切削に特化して、それぞれの切削目的に適したエンドミルが提案されている。特に、本発明が主な切削対象とする３次元形状削りでは縦送り切削や傾斜切削が増加するので、切り込み量を大きくしすぎると切り屑の排出性が良好でなければ切削抵抗が大きくなる。【０００４】  エンドミルの切り屑の排出性を改善する目的ではいくつかの提案がなされている。例えば、特許文献１では、ラフィングボールエンドミルのボール刃の各刃に互いに位置を変化させた波形状切れ刃、又はニックを設けたことにより、切り屑を分断でき、切削抵抗を軽減できるため、高切り込みで高送り切削を可能となることが記載されている。【０００５】  特許文献２には、ニック部の逃げ面を円弧状にして、ニック先端角コーナの切刃角を大きくすることによって剛性を高めたニック付きボールエンドミルが提案されている。【０００６】  エンドミルの外周刃に関しては、本発明が対象とする用途に用いる従来のエンドミルは、外周刃に波形状やニックを有し、この波形状外周刃やニック付き外周刃は、各刃で削り残しが出ないように工具軸方向に等間隔で位相がずれている。このような従来の波形状やニック付きの外周刃を有するエンドミルは、普通刃エンドミルと比較して、切り屑を分断しやすく切削抵抗を低減して加工ができるため、工具径方向の切り込み量を大きくでき、高能率加工が可能である。【０００７】  荒加工においても加工能率を上げるために、切り込み量を大きくして高能率加工を行うが、びびり振動の問題が生じることが多い。特にエンドミルの軸心から外周面の周方向に隣接する２枚の切れ刃までの線分で挟まれる分割角が等しい等分割エンドミルは、製造が極めて容易であるメリットがあるが、加工中に共振が起こり、びびり振動が生じやすい。この対策として、製造上は費用と時間がかかるが、切れ刃の分割角を異なるようにして、切削力の周期を一定にしないようにした不等分割エンドミルが提案されている。【０００８】  特許文献３では、波形状刃形のエンドミルにおいて、互いに隣接する各外周刃間における位相のずれ量を不均等にしたことにより、各外周刃の切り込み断面形状や断面積が不均等となり、不等分割同様にびびり振動を抑制し、工具寿命向上や高能率加工が可能となることが記載されている。特許文献４では、ギャッシュノッチ角が後端側に向かうに従い段階的に大きくなる複数段のギャッシュ面を構成するエンドミルが提案されている。縦送り時に大きな負荷が作用するエンドミル本体中心の先端側のギャッシュ面は強度を確保し、欠損等を防止でき、後端側のギャッシュ面は切り屑排出のための空間を確保するというものである。
【先行技術文献】
【特許文献】
【０００９】
【特許文献１】特開平７−１９５２２１号公報
【特許文献２】実開昭６０−１００１１１号公報
【特許文献３】特開平０１−１２７２１４号公報
【特許文献４】特開２００６−１５４１８号公報
【発明の概要】
【発明が解決しようとする課題】
【００１０】  近年、金型加工や部品加工の高能率加工への要求は一段と強く、荒加工においても高速機の普及と共に高速切削による高送り加工が注目されている。高速切削は切削速度を大きくすること、すなわち回転数を高く設定し、高能率加工を行う方法である。
最近のエンドミルへの他の要求として、３次元形状を有する金型などの加工を、エンドミルを変更せずに一本のエンドミルで切削加工したい、それも高能率で行いたいという要求が強い。前記の３次元形状削りの他にも、溝削りや段削りのニーズも増えている。【００１１】  ３次元形状削り、溝削り、及び段削りは、外周刃と外周刃につながるコーナＲ刃または底刃を同時に用いて被加工材の形状に沿って連続して行う加工であり、外周刃と外周刃につながるコーナＲ刃または底刃が連携して機能しないと、エンドミルの高能率加工にはつながらない。特に荒削り加工においては、波形状外周刃またはニック付き外周刃を持つエンドミルを用いて切り込み量を大きくし、回転数も高く設定するとびびり振動が発生し、異常摩耗やチッピングの発生により、寿命を短くするだけでなく、欠損や折損を引き起こす原因となるのである。【００１２】  特許文献１に記載されるボールエンドミルでは、ボール刃にニックを設け、切り屑を分断することで切削抵抗を軽減し、高切り込みで高送りが可能なエンドミルが提案されている。しかしボール刃にニックを設けるだけでは、切り屑が分断される効果はあるが、外周刃も含めて高速切削による高能率加工を行った場合に、特に外周刃の切削抵抗で問題となり、びびり振動を抑制する効果はなく、異常摩耗による欠損や折損につながることが多かった。【００１３】  特許文献２に記載のボールエンドミルでのニックの役割は、切削チップを分断するためであるが、本考案の最大の目的は、ニックの内外側逃げ面を共に円弧として逃げ面を逃がし、ニックの先端コーナの切刃角を大きくすることによってボール刃のチッピングを低減することである。確かに前記の切刃角を大きくすればニックの剛性は高められるであろうが、これは特許文献１と同様にボール刃の形状改善のみでボール刃の剛性を高めようとするもので、本発明が主目的とするエンドミルによる高能率の３次元形状切削のように、外周刃も同時に切削に加わりびびり振動が起こりやすい切削条件には対応できない。【００１４】  エンドミルによる３次元形状削りで、高速切削で高能率加工を達成するのは、いわば外周刃と外周刃につながるコーナＲ刃または底刃の連携によって相互に切削負荷を軽減するというトータル的な工具設計が必須であり、特許文献１及び２に記載されるボールエンドミルのように、ボール刃のみに注目した改良では対策が不十分なのである。【００１５】  エンドミルにおけるびびり振動を抑制する技術として、従来技術で説明したように外周刃の配置を等分割に代わって不等分割にしたエンドミルが提案されている。不等分割を適用したエンドミルは適切な形状設計をすれば、一定のびびり振動を抑制する効果がある。しかし、エンドミルの再研磨時には各刃の分割角が異なるため、研削する際の位置あわせ等で問題になることが多かった。また、不等分割を適用したエンドミルは、形状的に刃溝が不均一によることを意味し、切り屑の排出性が不均一になりやすく切り屑の排出性が悪いため、異常摩耗や欠けなどの問題があった。この問題は最近の高速切削に伴って多量に排出される切り屑の処理には特に重要な問題になる。【００１６】  特許文献３では、互いに隣接する各外周刃間における位相のずれ量を不均等にし、不等分割同様の効果でびびり振動を抑制するエンドミルが提案されている。しかし、特許文献３に記載のエンドミルは高速度工具鋼を母材としているので、各外周刃の位相のずれ量は比較的大きい例が提案されている。エンドミル母材を本発明のように靭性の低い超硬合金とした場合には、単に位相のずれ量を不均等にしたり、前記のように位相のずれ量が大きい場合には、切削量が大きくなる超硬合金製エンドミルの外周刃では欠損やチッピングが生じやすく、さらなる高速切削での適用は問題が残っていた。【００１７】  さらに、特許文献４では、縦送り加工用として、縦送り時に大きな負荷が作用するエンドミル本体中心の先端側のギャッシュ面は強度を確保し、後端側のギャッシュ面は切り屑排出のための空間を確保したエンドミルが提案されている。しかしながら、さらなる多機能な加工を高能率で行う場合、切り屑の排出機能を主目的とするギャッシュ面の改良だけでなく、切り屑を生成する外周刃やコーナＲ刃など、切削に関与するすべての切れ刃において最適化することが重要であることが本発明の検討過程で分かってきた。【００１８】  本発明は、このような背景と課題認識の下に、主に３次元形状を有する金型などの加工、溝削り、及び段削りなどの超硬合金製エンドミルによる加工を目的として、エンドミルを変更せずに一本のエンドミルで高能率での切削加工に適したエンドミルの形状を提案するものである。【００１９】  本発明の目的を達成するためには、エンドミルの外周刃と外周刃につながるコーナＲ刃が同時に切削作用に加わることを前提にする必要があり、従来のようにエンドミルの部位をそれぞれ単独で改良を加えることでは無理がある。そこで本発明は、外周刃と外周刃につながるコーナＲ刃が連携して機能し、切削抵抗の分散を十分に行えることでびびり振動を抑制し、回転数を高速に設定できる長寿命の超硬合金製エンドミルを提供することを目的とする。
【課題を解決するための手段】
【００２０】  本発明は、３次元加工において従来よりも大きい単位時間当たりの切り屑排出量を達成できる高速切削用のエンドミルの開発に伴い、切り屑の排出性と生産性の点で大きな優位性を持つ超硬合金製の等分割エンドミルを採用し、びびり振動を極力抑えることができ、さらに、傾斜切削などの３次元加工において切り屑の排出性を良好にできる形状要因を検討した結果として生まれたものである。【００２１】  すなわち本発明者は、エンドミルの外周刃は、円周方向の配列は等分割とし、波形状外周刃又はニック付き外周刃の軸方向への相互の位相の最適なずれ量を形成することに着目して、高速切削に耐え、かつびびり振動を最小にする位相のずれ量を種々検討した。さらに、底刃のすくい面から連続して設けるギャッシュの形状を最適化して、切り屑の良好な排出をはかり、外周刃と底刃への負荷を低減すること、および、外周刃につながるコーナＲ刃についてはニックの最適な配置により切り屑排出性にも着目し、コーナＲ刃によって切削された切り屑も細かく分断して、外周刃への負荷を低減していることを特徴としている。【００２２】
エンドミルを工具として製造するときには、製造コストの合理性も考慮しなければならない。そのために本発明の超硬合金製エンドミルは、外周刃は加工の容易な等分割エンドミルとして、外周刃につながるコーナＲ刃のニックの加工も、回転砥石で前記コーナＲ部に単純にニックを入れる程度でよい形状としている。例えば特許文献２では切刃角を大きくするために回転砥石の複雑な操作で、ニックの内外側両逃げ面を共に円弧としているが、本発明では平坦な面であっても良い。本発明の超硬合金製エンドミルの底刃のコーナＲ刃におけるニックの形状が単純で、このように製造コストをできるだけ小さくできる理由は、外周刃につながるコーナＲ刃のニック単独の剛性を高めなくても、外周刃のびびり振動抑制効果で外周刃につながるコーナＲ刃への負荷が小さく、逆に外周刃のびびり振動抑制効果やギャッシュ形状の最適化で、外周刃につながるコーナＲ刃への負荷が小さいという刃部位の相互の相乗効果があるからである。
【００２３】
すなわち、本発明の超硬合金製エンドミルは、山部と谷部を繰り返す波形状又はニック付きの複数の外周刃（１）と、前記外周刃（１）につながるコーナＲ刃（17）とを有し、
前記波形又はニックが等間隔に並んだある外周刃（１）の位相に対して、その他の少なくとも一刃の外周刃（１）の位相が前記波形又はニックのピッチの０％を含まない５％以下の幅で工具軸方向にずれており、
前記コーナＲ刃（17）の逃げ面（18）に、工具軸側の第１逃げ面（21）と外周側の第２逃げ面（22）とからなるニック（25）が設けられており、
前記第１逃げ面（21）と前記コーナＲ刃（17）の逃げ面（18）との第１交線（32）、及び前記第２逃げ面（22）と前記コーナＲ刃（17）の逃げ面（18）との第２交線（31）は、前記コーナＲ刃（17）とそれぞれ第１交点（30）及び第２交点（29）で交差しており、
前記第１交線（32）は、前記コーナＲ刃（17）から後方に行くに従って前記第１交点（30）と工具軸（Ｏ）との半径方向距離を半径とする円弧（34）より工具軸側（23）に広がっており、
前記第２交線（31）は、前記コーナＲ刃（17）から後方に行くに従って前記第２交点（29）と工具軸（Ｏ）との半径方向距離を半径とする円弧（33）より外周側（24）に広がっていることを特徴とする。
波形状外周刃又はニック付き外周刃の位相の工具軸方向へのずれ量は１％〜３％の範囲が望ましい。
【発明の効果】
【００２６】
本発明の超硬合金製エンドミルは、波形状外周刃又はニック付き外周刃の位相が適正範囲でずれているので、切削抵抗が分散されて切削負荷が安定し、びびり振動を抑制できる。さらにコーナＲ刃にはニックを設け、ニックの工具軸側の逃げ面は工具軸側に広がり、ニックの外周側の逃げ面は外周側に広がっていることにより、切り屑が細かく分断され、切削抵抗が軽減される。
【００２７】
本発明の超硬合金製エンドミルは、コーナＲ刃に設けるニックの切り屑切断効果によって外周刃の負荷が軽減され、高速切削でも振動が抑制され、逆に波形状外周刃又はニック付き外周刃の位相のずれ量の適正化で振動が抑制されるので、コーナＲ刃に設けるニックの負荷が軽減されてニックやニック付近の外周刃や底刃のチッピングが防止できるという効果がある。いわば、本発明の超硬合金製エンドミルは、外周刃とコーナＲ刃の形状の適正化が相互に助け合って３次元形状の切削でも高速切削を可能にする。
また、各刃の刃溝の形状はすべて実質的に同一であるため、切り屑の排出性も良好であり、切削工具の寿命の安定と高速回転を可能にする効果が得られる。
【００２８】
本発明の超硬合金製エンドミルによれば、ギャッシュの形状を最適化しているため、切り屑の排出性が良好であり、切削抵抗が低減されて３次元加工での高能率な加工ができる。さらにコーナＲ刃にニックを設けることにより、切削抵抗が軽減されるほか、切り屑が分断されることにより、切り屑が細かくなり、さらに排出性が向上する。この場合に、ギャッシュの適正な配置は切り屑の排出を助け、コーナＲ刃のニックへの過度な切削負荷を抑制するので、ニックがチッピングを起こすことを防止し、逆にコーナＲ刃のニックが切り屑の適正な切断を行なうので、切り屑がギャッシュを通って排出しやすくする。
【００２９】
本発明の超硬合金製エンドミルのように、外周刃の位相のずれ量の適正化とギャッシュの形状の最適化及びコーナＲ刃にニックを設ける形状にすれば、主にこの三つの形状の特長による相乗効果で切削抵抗が分散されて切削負荷が安定し、びびり振動を抑制できる。さらに、コーナＲ刃にニックを設けることにより、切削抵抗が軽減されるほかに、切り屑が分断され細かくなり、ギャッシュの形状を最適化しているため、切り屑の排出性が良好である。そのために本発明の超硬合金製エンドミルは従来のエンドミルと比較して、エンドミルの送り速度を１．５倍以上に上げることができ、本発明が主目的とする高能率な条件での３次元形状削りを達成できる。
【００３０】  本発明は、外周刃とギャッシュとコーナＲ刃に形状的な特徴があるが、いずれの部分も砥石研削で容易に成形できる形状である。よって、従来のエンドミルと比較しても、ほとんど変わらない工数でエンドミルを製造できるので、エンドミルの性能向上の割には容易な加工で済み、工具性能に対する生産コストを低減できる。
【図面の簡単な説明】
【００３１】
【図１】本発明の一実施例を示す超硬合金製エンドミルの全体概観図である。
【図２】図１の外周刃のＡ−Ａ´断面の拡大図であり、（ａ）は波形状外周刃の拡大図を示し、（ｂ）はニック付き外周刃としたときのニック付き外周刃の拡大図を示す。
【図３】図１の工具軸方向からみた図である。
【図４】図３のコーナＲ刃の拡大図である。
【図５】従来の位相のずれの無いエンドミルの波形状外周刃の位相とピッチを示す展開図である。
【図６】本発明の超硬合金製エンドミルの波形状外周刃の位相とピッチを示す展開図である。
【図７】本発明の一実施例を示し、隣接する波形状外周刃のうち１組の前記波形状外周刃は位相のずれ量が無く、１刃に位相のずれ量があることを示す展開図である。
【図８】図１の底刃近傍の拡大図である。
【図９】コーナＲ刃のニックをコーナＲ刃に対し垂直方向に設けたエンドミルの、図４に相当する図である。
【発明を実施するための形態】
【００３２】  以下、本発明を実施するための形態を図１〜図９に基づいて説明する。図１は本発明の一実施例を示すエンドミルの全体概観図で、外周刃が波形状外周刃の場合である。図１に示すように、工具径Ｄで外周側に切り屑排出用の刃溝１６と、刃数が４枚の外周刃１とコーナＲ刃１７を有する例である。さらにコーナＲ刃１７にはコーナＲ刃のニック２５が設けられている。前記刃数は、２枚以上であれば、位相をずらすことが可能であるため刃数は必要に応じて変え得る。例えば、アルミニウムなどの切削は切り屑排出が多いため刃数は２枚程度とし、切り屑排出用のチップポケットを大きめに設定し、また、高硬度材の切削は刃数を８枚まで増やし、高送りに対応することができる。
【００３３】
図２は図１の外周刃のＡ−Ａ´断面の拡大図である。図２（ａ）は波形状外周刃の拡大図を示す。通常波形状の刃形は図２のように波ピッチ４毎に波の高さが波高さ５の山部６と谷部７を繰り返した刃形であり、切り屑を細かく分断できる刃形となる。図２（ｂ）はニック付き外周刃としたときのニック付き外周刃の拡大図を示す。ニック付き刃形においても、外周刃とニックとの交点２０の間隔であるニックのピッチ８毎にニックの深さ９の溝が入った形状を繰り返し、外周刃で切り屑を分断出来る刃形となる。切り屑を分断することにより切削抵抗を抑制出来る効果があり、コーナＲ刃に設けるニックへの負荷も軽減できる。ここで、図２の斜線部は断面を示す。
【００３４】
図３は図１の工具軸方向からみた図を示し、図４は図３のコーナＲ刃の拡大図を示す。外周刃１からつながるコーナＲ刃１７の逃げ面１８には、工具軸側の第１逃げ面２１と外周側の第２逃げ面２２とからなるニック２５が設けられている。第１逃げ面２１とコーナＲ刃１７の逃げ面１８との第１交線３２、及び第２逃げ面２２とコーナＲ刃１７の逃げ面１８との第２交線３１は、コーナＲ刃１７とそれぞれ第１交点３０及び第２交点２９で交差している。
【００３５】
図４に示すように、本発明の超硬合金製エンドミルでは、工具回転時に干渉しないように、第１逃げ面21の工具軸側の稜線（第１交線）３２は、コーナＲ刃１７から後方に行くに従って第１交点３０と工具軸Ｏとの半径方向距離を半径とする円弧３４より工具軸側２３に逃げて（広がって）いる。また、第２逃げ面２２の外周側の稜線（第２交線）３１は、コーナＲ刃１７から後方に行くに従って第２交点２９と工具軸Ｏとの半径方向距離を半径とする円弧３３より外周側２４に逃げて（広がって）いる。なお、図４では第１交線３２の後端部32aが屈曲して、円弧３４に接近しているように見えるが、これは第１交線３２の後端部32aが底刃の第１逃げ面３５に続く第２逃げ面３６に接しているためである。もし第２逃げ面３６がなければ、第１交線３２の後端部32aも破線で示すように拡がっている。
【００３６】
本発明では、コーナＲ刃のニック２５の工具軸側の逃げ面２１及び外周側の逃げ面２２が、工具軸側への逃がしと外周側への逃がしを明確に付与されていることが特徴である。図４でいえば外周側のコーナＲ刃１７の逃げ面とニック２５の外周側逃げ面との交線３１及び工具軸側のコーナＲ刃１７の逃げ面とニック２５の工具軸側逃げ面との交線３２はニック２５の右側端部で円弧３３と円弧３４よりそれぞれ上下に離れるほど望ましい。これは本発明の超硬合金製エンドミルは主たる切削目的を３次元形状削りでの高速切削を前提としており、高速で３次元加工を行うときは、負荷の大きい外周刃とコーナＲとが協働して切削作用を行なうことが多くなるので、外周刃のびびり振動が少々大きくなってもコーナＲ部のニックの前記交線３１及び前記交線３２が被削材と干渉しないようにしておくことが必須であるからである。
【００３７】
また、コーナＲ刃１７の外周側逃げ面とニック２５の外周側逃げ面との交線３１及びコーナＲ刃１７の工具軸側逃げ面とニック２５の工具軸側逃げ面との交線３２の形状は直線状が望ましい。前記交線３１及び前記交線３２を直線状にすることは、テーパ状の砥石を使った砥石研削で容易にできるメリットがある。このことは、エンドミルの底刃の再研削も容易であることを意味する。前記交線３１及び前記交線３２を直線状ではなくて、円弧状にして干渉を防ぐ方法も前述の実用新案文献のように提案はされているが、この方法は前述のように工数とコストのかかる方法である。
【００３８】  従来のコーナＲ刃のニックは、ニックの逃げの方向についてはそれほど考慮されておらず、単純にニックの交線３１、３２が平行な場合も多い。これは、従来のボール刃やコーナＲ刃のニックは、ニックによる切り屑の分断効果の付与が主目的であり、例えニックの交線が平行であっても、切削負荷の小さい条件でエンドミルの振動が小さければ、干渉の心配はそれほどない場合も多いからである。
【００３９】
しかし、本発明のエンドミルのように、外周刃のびびり振動を小さくした外周刃の形状であっても、コーナＲ刃に設けるニックの逃げ面の方向は本発明のような特別の考慮が要る。コーナＲ刃のニックの形状を、本発明のように考慮しなかった場合の例を図９を用いて説明する。図９は、コーナＲ刃のニックをコーナＲ刃に対し垂直方向に設けたエンドミルの、図４に相当する図である。ただし、図９はコーナＲ刃１７の工具軸側逃げ面とニック２５の工具軸側逃げ面との交線３２が被削材と干渉することを説明するために、干渉部分をやや誇張して図示している。
【００４０】
図９に示すように、コーナＲ刃１７にはコーナＲ刃のニック２５が設けてあるが、コーナＲ刃のニック２５はコーナＲ刃１７に対し垂直方向に設けてある。そのため、コーナＲ刃１７の外周側逃げ面とニック２５の外周側逃げ面との交線３１は、外周側のコーナＲ刃１７とニック２５との交点と工具軸Ｏとの距離を半径としたときの円弧３３を基準として外周側２４へ逃げた形状となり、コーナＲ刃１７の工具軸側逃げ面とニック２５の工具軸側逃げ面との交線３２は、工具軸側のコーナＲ刃１７とニック２５との交点と工具軸Ｏとの距離を半径としたときの円弧３４を基準として外周側２４へ逃げた形状となる。
【００４１】
このような形状のコーナＲ刃のニックを有した工具を用いて、特に本発明が主目的とする高速加工の条件で３次元形状の切削加工を行った場合には、コーナＲ刃の工具軸側逃げ面とニックの工具軸側逃げ面との交線３２が被削材と干渉してしまうことがあるため、チッピングや欠損が生じてしまう。この干渉は、コーナＲ刃のニックの逃げの方向に関連して、高速で回転して負荷の大きい外周刃の振れの影響も大きいと推定される。
【００４２】
コーナＲ刃に設けられたニックにより、切り屑が分断されるため切削抵抗が軽減され、工具回転時に被削材との干渉による異常摩耗が無くなる。このコーナＲ刃に設けられたニックは、コーナ部での加工にさしかかると、主に切り屑の分断作用が働き、切り屑のギャッシュへの誘導が容易になると共に、ギャッシュでの切り屑の排出がスムーズになるので、切削抵抗が小さくなり、外周刃で協働して切削する場合でも、外周刃への負荷を小さくする。特に本発明の超硬合金製エンドミルのコーナＲ刃に設けられたニックの逃げ面の逃げ方向は、外周刃の振動によってもニックと被削材が干渉しないように十分考慮された形状になっているので、本発明での前記ニックは干渉による摩耗などはなく安定して寿命まで機能するものである。
【００４３】
さらに、本発明の超硬合金製エンドミルと従来のエンドミルにおける波形状外周刃の位相と波ピッチを比較するために図５〜図７を用いて説明をする。図５〜図７では波形状外周刃で代表的に説明しているが、ニック付き外周刃の場合には、図２（ｂ）に示すニックのピッチ８を波ピッチ４に置き換えれば、位相のずれの設け方は以下の説明と同じである。
【００４４】
図５は従来の位相のずれの無いエンドミルの波形状外周刃の位相とピッチを示す展開図である。図６は本発明の超硬合金製エンドミルの波形状外周刃の位相とピッチを示す展開図である。図７は、本発明の一実施例を示し、隣接する波形状外周刃のうち１組の前記波形状外周刃は位相のずれ量が無く、１刃に位相のずれ量があることを示す展開図である。なお、図５〜図７では山部の位置を丸印で示している。
【００４５】
図５のように、従来のエンドミルでは図の一番上に示される波形状外周刃を基準形状外周刃１０として、基準形状外周刃１０の山部６から次の山部６までの波ピッチ４（ニック付きの場合は外周刃とニックとの交点から次の外周刃とニックとの交点までをニックのピッチとする。）を４等分したそれぞれの位相１４（言い換えれば、基準形状外周刃１０の１／４ピッチごと）に、連続して次の第２波形状外周刃１１、第３波形状外周刃１２及び第４波形状外周刃１３の山部６が来るように等間隔に波形状外周刃がそれぞれ配置されている。このような配置は波形状外周刃の山部６の位相１４が一定であり、エンドミルによって切削される被加工材の切削量は各波形状外周刃で同一となる。各刃で切削される被加工材の切削量が同一であれば、従来技術で説明した等分割エンドミルと同様に、加工中に共振が起こり、びびり振動が生じやすい。
【００４６】  これに対して、本発明では図６に示すように、基準形状外周刃１０の次に配置される第２波形状外周刃１１と第４波形状外周刃１３の山部６の位置は、基準形状外周刃１０の波ピッチ４を４等分した位相１４から工具軸方向へずれ量１５だけずれて配列されている。そして、基準形状外周刃１０以外の波形状外周刃の位相１４のずれ量１５は、少なくとも一刃以上が基準形状外周刃１０の波ピッチ４を４等分したそれぞれの位相１４を基準にして、基準形状外周刃１０の波ピッチ４の０％を含まない５％以下の範囲の幅で工具軸方向へ配設されている。図６の本発明の超硬合金製エンドミルの一例として、基準形状外周刃１０の波ピッチ４を１ｍｍとし４枚の刃数で割った値で等間隔に並んだそれぞれの波形状外周刃の位相１４のずれ量１５は、第２波形状外周刃１１は波ピッチ４の２％である０．０２ｍｍ、第３波形状外周刃１２では０ｍｍ、第４波形状外周刃１３では波ピッチ４の２％である０．０２ｍｍの位相のずれがある。ここでずれ量１５はプラスを工具シャンク側３の方向とし、マイナスを工具先端側２の方向とする。
【００４７】  また、本発明では図７に示すように、基準形状外周刃１０の次に配置される第２波形状外周刃１１の山部６の位置は、基準形状外周刃１０の波ピッチ４を４等分した位相１４から工具軸方向へずれ量１５だけずれて配列され、隣接する第３波形状外周刃１２と第４波形状外周刃１３の位相１４のずれ量１５が無いように配列されている。そして、基準形状外周刃１０以外の波形状外周刃の位相１４のずれ量１５は、少なくとも一刃以上が基準形状外周刃１０の波ピッチ４を４等分したそれぞれの位相１４を基準にして、基準形状外周刃１０の波ピッチ４の０％を含まない５％以下の範囲の幅で工具軸方向へ配設されている。
１刃だけがずれ量１５を有する例として、小径エンドミルでの被加工材を溝切削する場合、切屑排出の確保のため刃数が奇数となる３枚刃を用いることが多くこの場合、特許文献３の仕様では、互いの隣接する外周刃の位相のずれ量はすべて異ならせることとなるが、本発明を用いれば、１刃だけの位相のずれ量を異ならせることでよい。更に、刃数が奇数となる５枚刃の場合においても、前記特許文献３の仕様では、基準形状外周刃からの位相のずれ量は２つの種類が必要となる。しかしながら、本発明では１つの種類の位相のずれ量だけでも、びびり振動の抑制と共に、高速切削による高能率加工が可能となり、さらに長寿命に加工が行える。このことは、後で述べる実施例においても確認している。
【００４８】
図８は、図１の底刃近傍の拡大図である。図のギャッシュには、底刃のすくい面である第１ギャッシュ面２６、エンドミルの工具軸側に第２ギャッシュ面２７、第２ギャッシュ面２７の工具軸方向後端側に第３ギャッシュ面２８が設けられている。本発明におけるギャッシュ部分の特徴は、以下で述べるコーナＲ刃１７に設けられたコーナＲ刃のニック２５で分断された切り屑が、速やかに、円滑に排出されるように、二段のギャッシュ形状としていることである。切り屑は第２ギャッシュを経て、第３ギャッシュに沿って速やかにエンドミルの外周側に誘導される。このギャッシュの形状の効果で、工具軸側では工具剛性が向上し、外周刃付近はチップポケットが広くなることで切り屑の排出性が向上する。
【００４９】
さらに本発明では外周刃につながるコーナＲ刃の外周部にコーナＲ刃のニックを設けているので、切り屑は細かく分断されるため、さらに排出性が向上する。コーナＲに設けるニックは外周側のコーナＲ刃とニックとの交点２９及び工具軸側のコーナＲ刃とニックとの交点３０が切削に寄与する（図４）が、ニックの逃げ面は被加工材との摩擦をなくす、又は摩擦を最小限にするために、本発明では特別の方向に向けている。そのため、特に傾斜切削などの３次元加工において、高能率な加工が可能となる。
【実施例】
【００５０】  以下、実施例中の表には、本発明例、従来例、比較例を区分して示す。試料番号は本発明例、従来例、比較例ごとに、連続の通し番号で記載した。【００５１】  （位相のずれ量とニックの効果の確認試験）
本発明例１乃至７、比較例１乃至４、従来例１乃至３においては基材はＣｏ含有量が８重量パーセント、ＷＣ平均粒径が０．８μｍの超硬合金で、工具径８ｍｍ、半径２ｍｍのコーナＲ刃、刃長１６ｍｍ、全長７０ｍｍ、シャンク径８ｍｍで刃数は４枚とした。外周刃の形状は波刃形とし、波ピッチを１ｍｍで、ねじれ角は４５°とし、テストに用いた。用いた試料はすべて（ＴｉＡｌ）Ｎ系にＳｉを含有させた硬質皮膜を施した。【００５２】
本発明例１乃至７として、コーナＲ刃にコーナＲ刃のニックを設け、コーナＲ刃のニックは、コーナＲ刃の工具軸側逃げ面とニックの工具軸側逃げ面との交線が、工具軸側のコーナＲ刃とニックとの交点と工具軸Ｏとの距離を半径としたときの円弧を基準として工具軸側へ逃げた形状とし、かつコーナＲ刃の外周側逃げ面とニックの外周側逃げ面との交線が、外周側のコーナＲ刃とニックとの交点と工具軸Ｏとの距離を半径としたときの円弧を基準として外周側へ逃げた形状とした。
また、実施例中の全ての表において、コーナＲ刃の工具軸側逃げ面とニックの軸中心側逃げ面との交線が、工具軸側のコーナＲ刃とニックとの交点と工具軸Ｏとの距離を半径としたときの円弧を基準としたときの逃げた方向を、工具軸側のニックの逃げ面の逃げ方向として記載した。また、コーナＲ刃の外周側逃げ面とニックの外周側逃げ面との交線が、外周側のコーナＲ刃とニックとの交点と工具軸Ｏとの距離を半径としたときの円弧を基準としたときの逃げた方向を、外周側のニックの逃げ面の逃げ方向として記載した。
【００５３】  本発明例１は、コーナＲ刃にコーナＲ刃のニックを設けた他に、１刃の波形状外周刃を基準形状外周刃として、基準形状外周刃の波ピッチを４等分したそれぞれの波形状外周刃の位相のずれ量を、第２波形状外周刃は波ピッチの１％とした０．０１ｍｍ、第３波形状外周刃は波ピッチの０％とした０ｍｍ、第４波形状外周刃は波ピッチの１％とした０．０１ｍｍとなる形状のものを作製した。【００５４】  本発明例２は、コーナＲ刃にコーナＲ刃のニックを設けた他に、１刃の波形状外周刃を基準形状外周刃として、基準形状外周刃の波ピッチを４等分したそれぞれの波形状外周刃の位相のずれ量を、第２波形状外周刃は波ピッチの２％とした０．０２ｍｍ、第３波形状外周刃は波ピッチの０％とした０ｍｍ、第４波形状外周刃は波ピッチの２％とした０．０２ｍｍとなる形状のものを作製した。【００５５】  本発明例３は、コーナＲ刃にコーナＲ刃のニックを設けた他に、１刃の波形状外周刃を基準形状外周刃として、基準形状外周刃の波ピッチを４等分したそれぞれの波形状外周刃の位相のずれ量を第２波形状外周刃は波ピッチの２％とした０．０２ｍｍ、第３波形状外周刃は波ピッチの３％とした０．０３ｍｍ、第４波形状外周刃は波ピッチの２％とした０．０２ｍｍとなる形状のものを作製した。【００５６】  本発明例４は、コーナＲ刃にコーナＲ刃のニックを設けた他に、１刃の波形状外周刃を基準形状外周刃として、基準形状外周刃の波ピッチを４等分したそれぞれの波形状外周刃の位相のずれ量を第２波形状外周刃は波ピッチの５％とした０．０５ｍｍ、第３波形状外周刃は波ピッチの３％とした０．０３ｍｍ、第４波形状外周刃は波ピッチの４％とした０．０４ｍｍとなる形状のものを作製した。【００５７】
本発明例５は、コーナＲ刃にコーナＲ刃のニックを設けた他に、１刃の波形状外周刃を基準形状外周刃として、基準形状外周刃の波ピッチを４等分したそれぞれの波形状外周刃の位相のずれ量を第２波形状外周刃は波ピッチの２％とした０．０２ｍｍ、第３波形状外周刃は波ピッチの０％とした０ｍｍ、第４波形状外周刃は波ピッチの０％とした０ｍｍなる形状のものを作製した。
【００５８】  本発明例６は、コーナＲ刃にコーナＲ刃のニックを設けた他に、さらに底刃のギャッシュには、第１ギャッシュ面、第２ギャッシュ面、第３ギャッシュ面を設け、波形状外周刃の位相のずれ量の無い、波ピッチの０％とした位相が一定のものを作製した。【００５９】  本発明例７は、コーナＲ刃にコーナＲ刃のニックを設けた他に、さらに底刃のギャッシュには、第１ギャッシュ面、第２ギャッシュ面、第３ギャッシュ面を設け、１刃の波形状外周刃を基準形状外周刃として、基準形状外周刃の波ピッチを４等分したそれぞれの波形状外周刃の位相のずれ量を第２波形状外周刃は波ピッチの２％とした０．０２ｍｍ、第３波形状外周刃は波ピッチの３％とした０．０３ｍｍ、第４波形状外周刃は波ピッチの２％とした０．０２ｍｍとなる形状のものを作製した。【００６０】
比較例１は、コーナＲ刃にコーナＲ刃のニックを設け、コーナＲ刃のニックは、コーナＲ刃の工具軸側逃げ面とニックの工具軸側逃げ面との交線が、工具軸側のコーナＲ刃とニックとの交点と工具軸Ｏとの距離を半径としたときの円弧を基準として工具軸側へ逃げた形状とし、かつコーナＲ刃の外周側逃げ面とニックの外周側逃げ面との交線が、外周側のコーナＲ刃とニックとの交点と工具軸Ｏとの距離を半径としたときの円弧を基準として外周側へ逃げた形状とした。
また、１刃の波形状外周刃を基準形状外周刃として、基準形状外周刃の波ピッチを４等分したそれぞれの波形状外周刃の位相のずれ量を第２波形状外周刃は波ピッチの６％とした０．０６ｍｍ、第３波形状外周刃は波ピッチの０％とした０ｍｍ、第４波形状外周刃は波ピッチの６％とした０．０６ｍｍとなる形状のものを作製した。
【００６１】  比較例２は、コーナＲ刃にコーナＲ刃のニックを設けず、１刃の波形状外周刃を基準形状外周刃として、基準形状外周刃の波ピッチを４等分したそれぞれの波形状外周刃の位相のずれ量を第２波形状外周刃は波ピッチの２％とした０．０２ｍｍ、第３波形状外周刃は波ピッチの３％とした０．０３ｍｍ、第４波形状外周刃は波ピッチの２％とした０．０２ｍｍのものを作製した。【００６２】
比較例３は、コーナＲ刃にコーナＲ刃のニックを設け、コーナＲ刃のニックは、コーナＲ刃の工具軸側逃げ面とニックの工具軸側逃げ面との交線が、工具軸側のコーナＲ刃とニックとの交点と工具軸Ｏとの距離を半径としたときの円弧を基準として工具軸側へ逃げた形状とし、かつコーナＲ刃の外周側逃げ面とニックの外周側逃げ面との交線が、外周側のコーナＲ刃とニックとの交点と工具軸Ｏとの距離を半径としたときの円弧よりも工具軸側にある形状とした。また、比較例３の波形状外周刃の位相のずれ量は、比較例２と同一とした。
【００６３】
比較例４は、図９に示すように、コーナＲ刃のニックをコーナＲ刃に対して垂直方向に設け、コーナＲ刃のニックは、コーナＲ刃の工具軸側逃げ面とニックの工具軸側逃げ面との交線が、工具軸側のコーナＲ刃とニックとの交点と工具軸Ｏとの距離を半径としたときの円弧よりも外周側にある形状とし、かつコーナＲ刃の外周側逃げ面とニックの外周側逃げ面との交線が、外周側のコーナＲ刃とニックとの交点と工具軸Ｏとの距離を半径としたときの円弧を基準として外周側へ逃げた形状とした。また、比較例４の波形状外周刃の位相のずれ量は、比較例２と同一とした。
【００６４】  従来例１は、コーナＲ刃にコーナＲ刃のニックを設けず、波形状外周刃の位相のずれ量の無い、波ピッチの０％とした位相が一定のものを作製した。
従来例２は、コーナＲ刃にコーナＲ刃のニックを設けず、不等分割を採用し、各刃の分割角が９５°、８５°、９５°、８５°で、波形状外周刃の位相のずれ量の無い波ピッチの０％とした位相が一定のものを作製した。
従来例３は、コーナＲ刃にコーナＲ刃のニックを設けず、特許文献３に記載されるエンドミルの位相のずれ量を同比率として算出し、１刃の波形状外周刃を基準形状外周刃として、それぞれの波形状外周刃の位相の前記ずれ量を第２波形状外周刃は波ピッチの６％とした０．０６ｍｍ、第３波形状外周刃は波ピッチの０％とした０ｍｍ、第４波形状外周刃は波ピッチの２％とした０．０２ｍｍのものを作製した。【００６５】  本発明の実施例７種を含む前記１４種類のエンドミルで、硬さＨＲＣ４０の熱間ダイス鋼ＳＫＤ６１を被加工材として切削を行った。切削条件は回転数を６０００回転／ｍｉｎ（切削速度１５０ｍ／ｍｉｎ）、送り速度を１６００ｍｍ／ｍｉｎ（１刃送り量０．０６ｍｍ）とし、軸方向切り込みを４ｍｍ・径方向切り込みを４ｍｍとして、寿命テストを行った。評価として、５ｍ毎に外周刃を観察し、５０ｍまで切削を行い欠損及びチッピングの無いものを良好として、その時の外周刃の摩耗幅を測定した。また、５０ｍまでに外周刃を観察し欠損及びチッピングが生じたものはその時点で終了し、切削長及び外周刃の状態を記録した。その結果を表１に示す。【００６６】
【表１】
0005644084.tif 000002
【００６７】  その結果、本発明例１乃至７はびびり振動も小さく、安定した切削が行え、５０ｍ切削しても正常摩耗であった。特に本発明例２、３、５、６、７は５０ｍ切削後の摩耗幅は０．１０ｍｍ以下と小さく、さらに本発明例７においては、５０ｍ切削しても摩耗幅が０．０５ｍｍと最も小さかった。
比較例１は位相のずれ量が６％と大きいため、切削途中で欠損した。比較例２及び従来例１乃至３はコーナＲ刃にニックが無いため、切削途中にチッピングや欠損が生じた。さらに、比較例３及び４はニックの逃げ面がそれぞれ切削中に干渉し、その結果切削途中で欠損を生じた。【００６８】  （傾斜切削を含む凹形状の切削試験）
前記表１に示す同一形状及び同一基材のエンドミルを作製し、傾斜切削を含む凹形状の加工で評価を行った。すなわち、本発明例８乃至１４は本発明例１乃至７と同仕様、比較例５乃至８は比較例１乃至４と同仕様、従来例４乃至６は従来例１乃至３と同仕様の合計１４種類のエンドミルである。切削試験の被加工材は、硬さＨＲＣ４０のプリハードン鋼で幅５０ｍｍ、長さ５０ｍｍ、深さ２４ｍｍの凹形状になるように加工した。
切削試験は、傾斜切削で深さ８ｍｍまで切削し、次に横送りで繰り広げて幅５０ｍｍ、長さ５０ｍｍまでの切削を３回繰り返し、深さ２４ｍｍまで加工する方法で比較した。従来ＨＲＣ４０の被加工材を横送りにて切削する場合は、切削速度は１００ｍ／ｍｉｎでも高速であるが、本切削条件においては切削速度が１．５倍となるように、回転数を６０００回転／ｍｉｎ（切削速度１５０ｍ／ｍｉｎ）、送り速度を１９２０ｍｍ／ｍｉｎ（１刃送り量０．０８ｍｍ）とし、軸方向切り込みを８ｍｍ、径方向切り込みを２ｍｍ、傾斜切削時の送り速度は１２００ｍｍ／ｍｉｎとし、傾斜角５°とした。
評価として、前記形状が１個加工できたものを良好とし、その時の外周刃の摩耗幅を測定した。加工終了後に欠損及び加工途中で折損したものはその結果を記録した。その結果を表２に示す。【００６９】
【表２】
0005644084.tif 000003
【００７０】
その結果、本発明の実施例である本発明例８乃至１４を用いた傾斜切削を含む凹形状の切削試験において、びびり振動も小さく、切り屑が細かく分断され安定した切削が行え、凹形状を１個加工しても正常摩耗であった。特に本発明例１３、１４は第２ギャッシュ面と第３ギャッシュ面を有するため、切り屑の排出性が良好であり、摩耗幅も０．０３ｍｍ以下と良好であった。
比較例５は外周刃の位相のずれ量が６％と大きいため、横送り時の切削途中で欠損した。比較例６及び従来例４乃至６はコーナＲ刃にニックが無いため、傾斜切削時に切り屑が分断されなかったため加工途中に折損を生じたり、加工後にも欠損が生じたものがあった。比較例７及び８はコーナＲ刃に設けたニックの逃げ面が本発明で規定するような逃げの条件を満足していないために、すなわち、ニックの工具軸側の逃げ面が工具軸側に、かつニックの外周側の逃げ面は外周側に逃げていないために、切削初期の傾斜切削でニックの逃げ面が干渉し、折損する結果となった。
【産業上の利用可能性】
【００７１】  本発明の超硬合金製エンドミルは、コーナＲ刃に設けるニックの切り屑切断効果によって外周刃の負荷が軽減され、高速切削でも振動が抑制され、逆に外周刃の位相のずれ量の適正化で振動が抑制されるので、コーナＲ刃に設けるニックの負荷が軽減されてニックやニック付近の外周刃や底刃のチッピングが防止できるという効果がある。いわば、本発明のエンドミルは、外周刃とコーナＲ刃の形状の適正化が相互に助け合って、３次元形状の切削でも従来よりも大きい単位時間当たりの切り屑排出量を達成できる。
【符号の説明】
【００７２】
１  外周刃
２  工具先端側
３  工具シャンク側
４  波ピッチ
５  波高さ
６  山部
７  谷部
８  ニックのピッチ
９  ニックの深さ
１０  基準形状外周刃
１１  第２波形状外周刃
１２  第３波形状外周刃
１３  第４波形状外周刃
１４  位相
１５  ずれ量
１６  刃溝
１７  コーナＲ刃
１８  コーナＲ刃の逃げ面
２０  外周刃とニックとの交点
２１  工具軸側の第１逃げ面
２２  外周側の第２逃げ面
２３  工具軸側
２４  外周側
２５  コーナＲ刃のニック
２６  第１ギャッシュ面
２７  第２ギャッシュ面
２８  第３ギャッシュ面
２９  第２交点
３０  第１交点
３１  第２交線
３２  第１交線
３２ａ  第１交線３２の後端部
３３  第２交点と工具軸Ｏとの半径方向距離を半径とする円弧
３４  第１交点と工具軸Ｏとの半径方向距離を半径とする円弧
３５  底刃の第１逃げ面
３６  底刃の第１逃げ面３５に続く第２逃げ面
Ｏ    工具軸
Ｄ    工具径
【図１】
0005644084.tif 000004
【図２】
0005644084.tif 000005
【図３】
0005644084.tif 000006
【図４】
0005644084.tif 000007
【図５】
0005644084.tif 000008
【図６】
0005644084.tif 000009
【図７】
0005644084.tif 000010
【図８】
0005644084.tif 000011
【図９】
0005644084.tif 000012